(57)【要約】      （修正有）【課題】ラックの後方から器材を取り出す時に、他の線材又は器材の影響を受けにくくすることができる可動取付片と、可動取付片が接続され、ラックに装着することができる器材交換補助装置と、を提供する。【解決手段】可動取付片１０は、第１のヒンジ１１及び第２のヒンジ１２を含む。器材Ｄを取り外す際、第１のヒンジ及び第２のヒンジを内側に折り曲げると、器材Ｄを後方にスムーズに移動させることができる。また、器材交換補助装置にこの可動取付片を組み合わせることにより、器材を後方に移動させる際の利便性を高め、スムーズに移動させることができる。【選択図】図２
0003185224.tif 000002
【実用新案登録請求の範囲】
【請求項１】
ラック又は器材交換補助装置に器材を螺着固定するのを補助するために用いられる可動取付片であって、
前記可動取付片は、第１のヒンジ及び第２のヒンジを備え、
前記第１のヒンジは、第１の左片部及び第１の右片部を有し、前記第１の左片部は、少なくとも１つの螺着部材により、前記器材に螺着固定され、前記第１の右片部は、少なくとも１つの螺着部材により、前記ラック又は前記器材交換補助装置に螺着固定される上、前記第１の左片部に枢着され、
前記第２のヒンジは、第２の左片部及び第２の右片部を有し、前記第２の左片部は、少なくとも１つの螺着部材により、前記ラック又は前記器材交換補助装置に螺着固定され、前記第２の右片部は、少なくとも１つの螺着部材により、前記器材に螺着固定される上、前記第２の左片部に枢着されることを特徴とする可動取付片。
【請求項２】
前記第１の左片部上には、長孔が設けられ、前記第１の右片部上には、複数の螺着孔が設けられ、前記第２の左片部上には、複数の螺着孔が設けられ、前記第２の右片部上には、長孔が設けられることを特徴とする請求項１に記載の可動取付片。
【請求項３】
前記第１の左片部には、螺着孔及び長孔を有する第１の上接続片と、螺着孔及び長孔を有する第１の下接続片と、が接続され、
前記第２の右片部には、螺着孔及び長孔を有する第２の上接続片と、螺着孔及び長孔を有する第２の下接続片と、が接続されることを特徴とする請求項１に記載の可動取付片。
【請求項４】
前記請求項１に記載の可動取付片が接続され、ラックに装着される器材交換補助装置であって、
前記器材交換補助装置は、第１のレール、第２のレール、トレー、第１の螺着片及び第２の螺着片を備え、
前記第１のレールは、前記ラックに螺着固定され、
前記第２のレールは、前記ラックに螺着固定され、前記第１のレールと対向する位置に配置され、
前記トレーには、前記第１のレールに滑入される第１のスライドブロックと、前記第２のレールに滑入される第２のスライドブロックと、が設けられ、
前記第１の螺着片は、前記第１のレールの一方の端部に突設され、螺着部材により、前記可動取付片の第１の右片部が螺着固定され、
前記第２の螺着片は、前記第２のレールの一方の端部に突設され、螺着部材により、前記可動取付片の第２の左片部が螺着固定されることを特徴とする器材交換補助装置。
【請求項５】
前記第１の左片部上には、長孔が設けられ、前記第１の右片部上には、複数の螺着孔が設けられ、前記第２の左片部上には、複数の螺着孔が設けられ、前記第２の右片部上には、長孔が設けられることを特徴とする請求項４に記載の器材交換補助装置。
【請求項６】
前記第１の螺着片は、第１の長孔が設けられた第１の結合部を有し、
前記第２の螺着片は、第２の長孔が設けられた第２の結合部を有することを特徴とする請求項４に記載の器材交換補助装置。
【請求項７】
前記第１のレールには、第１の位置決めブロックが接続され、前記第２のレールには、第２の位置決めブロックが接続され、
前記第１の位置決めブロックは、前記第１の螺着片と反対側の端部に位置し、互いに接続される第１のレール螺合部及び第１のラック螺合部を有し、
前記第２の位置決めブロックは、前記第２の螺着片と反対側の端部に位置し、互いに接続される第２のレール螺合部及び第２のラック螺合部を有することを特徴とする請求項４に記載の器材交換補助装置。
【請求項８】
前記トレーには、少なくとも１つの貫通孔が設けられることを特徴とする請求項４に記載の器材交換補助装置。
【請求項９】
可動取付片、第１のレール、第２のレール及びトレーを備え、器材をラックに螺着固定する補助を行うために用いられる器材交換補助装置であって、
前記可動取付片は、第１のヒンジ及び第２のヒンジを有し、
前記第１のヒンジは、第１の左片部及び第１の右片部を有し、前記第１の左片部は、少なくとも１つの螺着部材により、前記器材に螺着固定され、前記第１の右片部は、少なくとも１つの螺着部材により、前記ラック又は前記器材交換補助装置に螺着固定される上、前記第１の左片部に枢着され、
前記第２のヒンジは、第２の左片部及び第２の右片部を有し、前記第２の左片部は、少なくとも１つの螺着部材により、前記ラック又は前記器材交換補助装置に螺着固定され、前記第２の右片部は、少なくとも１つの螺着部材により、前記器材に螺着固定される上、前記第２の左片部に枢着され、
前記第１のレールは、前記ラックに螺着固定され、前記第１のレールの一方の端部には、螺着部材により、前記第１の右片部を螺着固定するために用いられる第１の螺着片が突設され、
前記第２のレールは、前記ラックに螺着固定され、前記第１のレールと対向する位置に配置され、前記第２のレールの一方の端部には、螺着部材により、前記第２の左片部を螺着固定するために用いられる第２の螺着片が突設され、
前記トレーには、前記第１のレールに滑入される第１のスライドブロックと、前記第２のレールに滑入される第２のスライドブロックと、が設けられることを特徴とする器材交換補助装置。
【請求項１０】
前記第１の左片部上には、長孔が設けられ、前記第１の右片部上には、複数の螺着孔が設けられ、前記第２の左片部上には、複数の螺着孔が設けられ、前記第２の右片部上には、長孔が設けられることを特徴とする請求項９に記載の可動取付片。
【請求項１１】
前記第１の左片部には、螺着孔及び長孔を有する第１の上接続片と、螺着孔及び長孔を有する第１の下接続片と、が接続され、
前記第２の右片部には、螺着孔及び長孔を有する第２の上接続片と、螺着孔及び長孔を有する第２の下接続片と、が接続されることを特徴とする請求項１０に記載の可動取付片。
【請求項１２】
前記第１の螺着片は、第１の長孔が設けられた第１の結合部を有し、
前記第２の螺着片は、第２の長孔が設けられた第２の結合部を有することを特徴とする請求項９に記載の器材交換補助装置。
【請求項１３】
前記第１のレールには、第１の位置決めブロックが接続され、前記第２のレールには、第２の位置決めブロックが接続され、
前記第１の位置決めブロックは、前記第１の螺着片と反対側の端部に位置し、互いに接続される第１のレール螺合部及び第１のラック螺合部を有し、
前記第２の位置決めブロックは、前記第２の螺着片と反対側の端部に位置し、互いに接続される第２のレール螺合部及び第２のラック螺合部を有することを特徴とする請求項９に記載の器材交換補助装置。
【請求項１４】
前記トレーには、少なくとも１つの貫通孔が設けられることを特徴とする請求項９に記載の器材交換補助装置。
【考案の詳細な説明】
【技術分野】
【０００１】
本考案は、ラックに器材を結合するために用いられる取付片と、取付片が結合されて組み合わされる器材交換補助装置と、に関し、特に、ラックの後方から器材を退出させることができる取付片及び器材交換補助装置に関する。
【背景技術】
【０００２】
インターネット及びコンピュータ技術の発達により、インターネットの利用者数が激増している。特に、大企業においては、人数が多いため、多くのルータにより、インターネット回線の分配及び管理が行われたり、コンピュータルームに数種類の器材が設置されて各種事務処理が行われたりする。
【０００３】
器材管理及び線路敷設を行う際の利便性を更に高めるために、ラック内に各種器材が螺設固定され、線路が接続される。これにより、器材管理を統一し、空間を有効に利用することができる。しかし、従来のラックに器材を結合する方式は、器材を取り外して交換するのに都合が悪い。図１を参照する。図１に示すように、器材９１前方の両側には、取付片９１１が接続固定されている。取付片９１１及びラック９０に螺着部材を貫設し、ラック９０の対応位置に取付片９１１を固定することにより、ラック９０上に器材９１が固定される。図１から分かるように、ラック９０上の螺着孔に取付片９１１を対応させる必要があるため、ラック９０の前端から器材９１を後退させて進入させることしかできない。このため、従来の構造においては、器材９１が損壊し、交換する必要がある場合、ラック９０の前方から器材９１を取り出さなければならない。しかし、一般に、ラック９０の前方には、他の器材の配線が存在するため、器材９１を取り出すのに極めて不便である。
【先行技術文献】
【特許文献】
【０００４】
【特許文献１】特開２００５−１５０４３６号公報
【考案の概要】
【考案が解決しようとする課題】
【０００５】
本考案の目的は、ラックの後方から器材を取り出すようにすることができるため、他の線材又は器材の影響を受けにくくすることができる可動取付片を提供することにある。
本考案のもう１つの目的は、上述の可動取付片が接続され、ラックに装着することができる器材交換補助装置を提供することにある。
【課題を解決するための手段】
【０００６】
上述の課題を解決するために、本考案の可動取付片は、ラック又は器材交換補助装置に器材を螺着固定するのを補助するために用いられる。本考案の可動取付片は、第１のヒンジ及び第２のヒンジを含む。第１のヒンジは、第１の左片部及び第１の右片部を含む。第１の左片部は、少なくとも１つの螺着部材により、器材に螺着固定される。第１の右片部は、少なくとも１つの螺着部材により、ラック又は器材交換補助装置に螺着固定される。第２のヒンジは、第２の左片部及び第２の右片部を含む。第２の左片部は、少なくとも１つの螺着部材により、ラック又は器材交換補助装置に螺着固定される。第２の右片部は、少なくとも１つの螺着部材により、器材に螺着固定される。
【０００７】
器材を取り出す場合、第１の右片部及び第２の左片部に貫設された螺着部材を取り出し、第１の右片部及び第２の左片部を内側に回動移動させることにより、ラックの後方に器材を移動させることができる。これにより、他の器材及び線材に影響を受けたり、与えたりするのを防止することができ、従来技術における問題を克服することができる。
【０００８】
第１の左片部上には、長孔が設けられ、第１の右片部上には、複数の螺着孔が設けられる。また、第２の左片部上には、複数の螺着孔が設けられ、第２の右片部上には、長孔が設けられる。複数の螺着孔により、ラック又は器材交換補助装置上の対応する孔位置に対応させる作業を簡単に行うことができるため、スムーズに螺着接続することができる。
【０００９】
第１の左片部には、第１の上接続片及び第１の下接続片が更に接続される。第１の上接続片は、螺着孔及び長孔を含む。第１の下接続片は、螺着孔及び長孔を含む。また、第２の右片部には、第２の上接続片及び第２の下接続片が接続される。第２の上接続片は、螺着孔及び長孔を含む。第２の下接続片は、螺着孔及び長孔を含む。上述の設計により、器材に第１のヒンジ及び第２のヒンジを結合する際の利便性を高めることができ、孔位置に応じて数種類の第１のヒンジ及び第２のヒンジを製造する必要がないため、大量生産に適する。
【００１０】
上述の課題を解決するために、本考案の器材交換補助装置は、第１のレール、第２のレール、トレー、第１の螺着片及び第２の螺着片を含む。第１のレールは、ラックに螺着固定される。第２のレールは、ラックに螺着固定され、第１のレールと対向する位置に配置される。トレーには、第１のスライドブロック及び第２のスライドブロックが設けられる。第１のスライドブロックは、第１のレールに滑入される。第２のスライドブロックは、第２のレールに滑入される。第１の螺着片は、第１のレールの一方の端部に突設され、螺着部材により、可動取付片の第１の右片部が螺着固定される。第２の螺着片は、第２のレールの一方の端部に突設され、螺着部材により、可動取付片の第２の左片部が螺着固定される。
【００１１】
本考案の器材交換補助装置は、上述の取付片が組み合わされることにより、器材と結合される。本考案の器材交換補助装置により、器材の重量によって取付片が変形し、器材が傾くのを防止することができる。
【００１２】
第１の左片部上には、長孔が設けられ、第１の右片部上には、複数の螺着孔が設けられる。また、第２の左片部上には、複数の螺着孔が設けられ、第２の右片部上には、長孔が設けられる。これにより、各種の孔位置にフレキシブルに対応させることができるため、螺着固定を行う際の利便性を高めることができる。
【００１３】
第１の螺着片は、第１の結合部を更に含む。第１の結合部上には、第１の長孔が設けられる。第２の螺着片は、第２の結合部を更に含む。第２の結合部上には、第２の長孔が設けられる。これにより、各種レール上の孔位置にフレキシブルに対応させることができるため、第１の螺着片と第１のレールと、第２の螺着片と第２のレールと、を螺着固定する際の利便性を更に高めることができる。
【００１４】
第１のレールには、第１の位置決めブロックが更に接続され、第２のレールには、第２の位置決めブロックが更に接続される。第１の位置決めブロックは、第１の螺着片と反対側の端部に位置し、第１のレール螺合部及び第１のラック螺合部を含む。第１のレール螺合部と第１のラック螺合部とは、互いに接続される。第２の位置決めブロックは、第２の螺着片と反対側の端部に位置し、第２のレール螺合部及び第２のラック螺合部を含む。第２のレール螺合部と第２のラック螺合部とは、互いに接続される。これにより、ラック上に第１のレール及び第２のレールを安定的に螺着接続することができる。
【００１５】
トレーには、少なくとも１つの貫通孔が設けられる。ユーザは、貫通孔から指で器材を支えることができるため、器材を取り出すのに便利である上、器材の放熱を補助する効果も有する。
【考案の効果】
【００１６】
本考案の可動取付片により、器材を取り出す場合、第１の右片部及び第２の左片部に貫設された螺着部材を取り出し、第１の右片部及び第２の左片部を内側に回動移動させることにより、ラックの後方に器材を移動させることができる。これにより、他の器材及び線材に影響を受けたり、与えたりするのを防止することができ、従来技術における問題を克服することができる。
【図面の簡単な説明】
【００１７】
【図１】従来技術によってラックに器材を装着した状態を示す斜視図である。
【図２】本考案の一実施形態による可動取付片を器材上に結合した状態を示す斜視図である。
【図３】本考案の一実施形態による可動取付片及び器材交換補助装置を器材に結合した状態を示す斜視図である。
【図４】本考案の一実施形態による可動取付片をラックに結合した状態を示す斜視図である。
【図５】本考案の一実施形態による可動取付片及び器材交換補助装置を示す分解斜視図である。
【図５Ａ】本考案の一実施形態による第１のヒンジを示す斜視図である。
【図５Ｂ】本考案の一実施形態による第２のヒンジを示す斜視図である。
【図５Ｃ】本考案の一実施形態による第２の上接続片及び第２の下接続片を示す斜視図である。
【図５Ｄ】本考案の一実施形態による第１の上接続片及び第１の下接続片を示す斜視図である。
【図６】本考案の各部材の結合状態を示す断面図である。
【図７】本考案の一実施形態による可動取付片及び器材交換補助装置をラックに結合した状態を示す斜視図である。
【図８】本考案の一実施形態による器材交換補助装置の作動状態を示す斜視図である。
【図９】本考案の一実施形態による器材交換補助装置の作動状態を示す斜視図である。
【考案を実施するための形態】
【００１８】
本考案の目的、特徴および効果を示す実施形態を図面に沿って詳細に説明する。
【００１９】
図２は、本考案の一実施形態による可動取付片を器材上に結合した状態を示す斜視図である。図３は、本考案の一実施形態による可動取付片及び器材交換補助装置を器材に結合した状態を示す斜視図である。図４は、本考案の一実施形態による可動取付片をラックに結合した状態を示す斜視図である。図５は、本考案の一実施形態による可動取付片及び器材交換補助装置を示す分解斜視図である。図５Ａは、本考案の一実施形態による第１のヒンジを示す斜視図である。図５Ｂは、本考案の一実施形態による第２のヒンジを示す斜視図である。図５Ｃは、本考案の一実施形態による第２の上接続片及び第２の下接続片を示す斜視図である。図５Ｄは、本考案の一実施形態による第１の上接続片及び第１の下接続片を示す斜視図である。図６は、本考案の各部材の結合状態を示す断面図である。図７は、本考案の一実施形態による可動取付片及び器材交換補助装置をラックに結合した状態を示す斜視図である。図８は、本考案の一実施形態による器材交換補助装置の作動状態を示す斜視図である。図９は、本考案の一実施形態による器材交換補助装置の作動状態を示す斜視図である。
【００２０】
図２〜図５を参照する。図２〜図５に示すように、本考案の一実施形態による可動取付片１０は、第１のヒンジ１１及び第２のヒンジ１２を含み、ラックＥ又は器材交換補助装置Ｆに器材Ｄを螺着固定する補助を行うために用いられる。
【００２１】
第１のヒンジ１１は、第１の左片部１１１及び第１の右片部１１２を含み、第１の左片部１１１と第１の右片部１１２とは、互いに枢着される。第１の左片部１１１は、少なくとも１つの螺着部材により、器材Ｄに螺着固定される。第１の右片部１１２は、少なくとも１つの螺着部材により、ラックＥ又は器材交換補助装置Ｆに螺着固定される。第２のヒンジ１２は、第２の左片部１２１及び第２の右片部１２２を含み、第２の左片部１２１と第２の右片部１２２とは、互いに枢着される。第２の左片部１２１は、少なくとも１つの螺着部材により、ラックＥ又は器材交換補助装置Ｆに螺着固定される。第２の右片部１２２は、少なくとも１つの螺着部材により、器材Ｄに螺着固定される。
【００２２】
本実施形態において、ラックＥ又は器材交換補助装置Ｆ上に螺着固定するために用いられる第１の右片部１１２と第２の左片部１２１とを第１の左片部１１１と第２の右片部１２２とに対して回動する場合、第１の右片部１１２及び第２の左片部１２１上の螺着部材を取り外す。こうすることにより、第１の右片部１１２及び第２の左片部１２１を器材Ｄの内側に回動させることができるため、器材Ｄを後方に移動することができる。即ち、ラックＥから器材Ｄを取り外す場合においても、装着する場合においても、前端の線材の影響を受けないため、便利である。
【００２３】
また、図５及び図５Ａ〜図５Ｄに示すように、第１の左片部１１１上には、長孔１１１１が設けられる。第１の右片部１１２上には、複数の螺着孔１１２１が設けられる。第２の左片部１２１上には、複数の螺着孔１２１１が設けられる。第２の右片部１２２上には、長孔１２２１が設けられる。長孔１１１１及び長孔１２２１により、器材Ｄ上の孔位置に第１の左片部１１１及び第２の右片部１２２を螺着固定する際の利便性を高めることができ、位置の調整に手間を掛ける必要がない。また、複数の螺着孔１１２１及び螺着孔１２１１は、ラックＥ又は器材交換補助装置Ｆに螺着固定するために用いられる。
【００２４】
図５及び図５Ａ〜図５Ｄに示すように、第１の左片部１１１には、第１の上接続片１１３及び第１の下接続片１１４が接続される。第１の上接続片１１３は、螺着孔１１３１及び長孔１１３２を含む。第１の下接続片１１４は、螺着孔１１４１及び長孔１１４２を含む。また、第２の右片部１２２には、第２の上接続片１２３及び第２の下接続片１２４が接続される。第２の上接続片１２３は、螺着孔１２３１及び長孔１２３２を含む。第２の下接続片１２４は、螺着孔１２４１及び長孔１２４２を含む。第１の上接続片１１３及び第１の下接続片１１４と、第２の上接続片１２３及び第２の下接続片１２４と、により、器材Ｄに第１の左片部１１１及び第２の右片部１２２を螺着固定する際のフレキシビリティを大幅に高めることができ、対応する孔を有する第１のヒンジ及び第２のヒンジを特別に製造する必要がない。即ち、寸法の問題により、在庫が増加することがない。
【００２５】
以下に、上述の可動取付片１０を組み合わせて使用する器材交換補助装置Ｆの説明を示す。図５〜図９を参照する。図５〜図９に示すように、本考案の一実施形態による器材交換補助装置Ｆは、可動取付片１０が接続され、ラックＥに装着される。器材交換補助装置Ｆは、第１のレール２１、第２のレール２２、トレー２３、第１の螺着片２４及び第２の螺着片２５を含む。以上の構造により、トレー２３が器材Ｄの支持を補助し、ラックＥから可動取付片１０を分離する（即ち、螺着部材を取り外す）と、器材Ｄをトレー２３と共に後方に移動させることができるため、使用上の利便性を高めることができる。
【００２６】
第１のレール２１は、ラックＥに螺着固定され、第２のレール２２もラックＥの第１のレール２１に対向する位置に螺着固定される。トレー２３には、第１のスライドブロック２３１及び第２のスライドブロック２３２が設けられる。第１のスライドブロック２３１は、第１のレール２１に滑入される。第２のスライドブロック２３２は、第２のレール２２に滑入される。これにより、トレー２３は、レールに沿って前後に移動させることができる（図８及び図９参照）。第１の螺着片２４は、第１のレール２１の一方の端部に突設され、螺着部材により、可動取付片１０の第１の右片部１１２が螺着固定される。第２の螺着片２５は、第２のレール２２の一方の端部に突設され、螺着部材により、可動取付片１０の第２の左片部１２１が螺着固定される。
【００２７】
器材交換補助装置Ｆと可動取付片１０とを組み合わせることにより、器材１０を前後に移動させて取り出したり、装着したりする作業の利便性を高めることができる。
【００２８】
第１の螺着片２４は、第１の結合部２４１を更に含む。第１の結合部２４１上には、第１の長孔２４１１が設けられる。第２の螺着片２５は、第２の結合部２５１を更に含む。第２の結合部２５１上には、第２の長孔２５１１が設けられる。第１の長孔２４１１及び第２の長孔２５１１の設置により、第１の螺着片２４及び第２の螺着片２５が第１のレール２１及び第２のレール２２から突出する位置を調整することができるため、第１のレール２１及び第２のレール２２を各種寸法のラックＥに適用させることができる。
【００２９】
第１のレール２１には、第１の位置決めブロック２６が更に接続され、第２のレール２２には、第２の位置決めブロック２７が更に接続される。第１の位置決めブロック２６は、第１の螺着片２４と反対側の端部に位置し、第１のレール螺合部２６１及び第１のラック螺合部２６２を含む。第１のレール螺合部２６１と第１のラック螺合部２６２とは、互いに接続される。第２の位置決めブロック２７は、第２の螺着片２５と反対側の端部に位置し、第２のレール螺合部２７１及び第２のラック螺合部２７２を含む。第２のレール螺合部２７１と第２のラック螺合部２７２とは、互いに接続される。第１の位置決めブロック２６及び第２の位置決めブロック２７により、ラックＥ上にレールを安定的に結合させ、トレー２３をスライドさせる際の安定性を高めることができる。
【００３０】
また、トレー２３には、少なくとも１つの貫通孔２３３が設けられる。器材Ｄを取り出す際、貫通孔２３３から指で器材Ｄを支えることができるため、取り出すのに都合がよい上、貫通孔２３３により気流が流動する空間が増大するため、放熱効果を高めることができる。
【００３１】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３２】
１０  可動取付片
１１  第１のヒンジ
１１１  第１の左片部
１１１１  長孔
１１２  第１の右片部
１１２１  螺着孔
１２  第２のヒンジ
１２１  第２の左片部
１２１１  螺着孔
１２２  第２の右片部
１２２１  長孔
１１３  第１の上接続片
１１３１  螺着孔
１１３２  長孔
１１４  第１の下接続片
１１４１  螺着孔
１１４２  長孔
１２３  第２の上接続片
１２３１  螺着孔
１２３２  長孔
１２４  第２の下接続片
１２４１  螺着孔
１２４２  長孔
２１  第１のレール
２２  第２のレール
２３  トレー
２３１  第１のスライドブロック
２３２  第２のスライドブロック
２３３  貫通孔
２４  第１の螺着片
２４１  第１の結合部
２４１１  第１の長孔
２５  第２の螺着片
２５１  第２の結合部
２５１１  第２の長孔
２６  第１の位置決めブロック
２６１  第１のレール螺合部
２６２  第１のラック螺合部
２７  第２の位置決めブロック
２７１  第２のレール螺合部
２７２  第２のラック螺合部
Ｄ  器材
Ｅ  ラック
Ｆ  器材交換補助装置
９０  ラック
９１  器材
９１１  取付片
【図１】
0003185224.tif 000003
【図２】
0003185224.tif 000004
【図３】
0003185224.tif 000005
【図４】
0003185224.tif 000006
【図５】
0003185224.tif 000007
【図５Ａ】
0003185224.tif 000008
【図５Ｂ】
0003185224.tif 000009
【図５Ｃ】
0003185224.tif 000010
【図５Ｄ】
0003185224.tif 000011
【図６】
0003185224.tif 000012
【図７】
0003185224.tif 000013
【図８】
0003185224.tif 000014
【図９】
0003185224.tif 000015